(57)【要約】  エンジン燃料送達システムの１つ又は複数の部品から堆積物を洗浄する方法であって、該エンジン燃料送達システムに（ａ）１種又は複数の芳香族炭化水素溶媒；及び（ｂ）１種又は複数のプロピレングリコールエーテルを含む洗浄組成物を導入する段階を含む方法が開示される。
2014504307.tif 000002
【特許請求の範囲】
【請求項１】
エンジン燃料送達システムの１つ又は複数の部品から堆積物を洗浄する方法であって、エンジン燃料送達システムに（ａ）１種又は複数の芳香族炭化水素溶媒；及び（ｂ）１種又は複数のプロピレングリコールエーテルを含む洗浄組成物を導入する段階を含む上記方法。
【請求項２】
１種又は複数の芳香族炭化水素溶媒が、ベンゼン、エチルベンゼン、トルエン、アニソール、メシチレン、キシレン、ｏ−キシレン、ｍ−キシレン、及びｐ−キシレン、芳香族石油蒸留物並びにそれらの混合物からなる群から選択される、請求項１に記載の方法。
【請求項３】
洗浄組成物中の１種又は複数の芳香族炭化水素溶媒の濃度が、洗浄組成物の全重量に対して、約１０から約４０重量％である、請求項１又は２に記載の方法。
【請求項４】
１種又は複数のプロピレングリコールエーテルが、式Ｉ：
【化１】
2014504307.tif 000011
（式中、Ｒは、水素又は置換若しくは非置換のＣ１からＣ３０ヒドロカルビル基であり、Ｒ１は、置換又は非置換のＣ１からＣ３０ヒドロカルビル基であり、ｎは、１から４の整数である）
で表される、請求項１から３までのいずれか一項に記載の方法。
【請求項５】
Ｒが水素であり、Ｒ１が、置換又は非置換のＣ１からＣ６ヒドロカルビル基である、請求項４に記載の方法。
【請求項６】
１種又は複数のプロピレングリコールエーテルが、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノブチルエーテル、及びそれらの混合物からなる群から選択される、請求項１から５までのいずれか一項に記載の方法。
【請求項７】
洗浄組成物中の１種又は複数のプロピレングリコールエーテルの濃度が、洗浄組成物の全重量に対して、約２０から約５０重量％である、請求項１から６までのいずれか一項に記載の方法。
【請求項８】
洗浄組成物が、１種又は複数の脂肪族炭化水素溶媒をさらに含む、請求項１から７までのいずれか一項に記載の方法。
【請求項９】
洗浄組成物中の１種又は複数の脂肪族炭化水素溶媒の濃度が、洗浄組成物の全重量に対して、約１０から約７０重量％である、請求項８に記載の方法。
【請求項１０】
洗浄組成物が、１種又は複数の窒素含有洗浄剤をさらに含む、請求項１から９までのいずれか一項に記載の方法。
【請求項１１】
１種又は複数の窒素含有洗浄剤が、脂肪族ヒドロカルビル置換アミン、ヒドロカルビル置換ポリ（オキシアルキレン）アミン、ヒドロカルビル置換スクシンイミド、マンニッヒ反応生成物、ポリアルキルフェノキシアルカノールのニトロ及びアミノ芳香族エステル、ポリアルキルフェノキシアミノアルカン、並びにそれらの混合物からなる群から選択される、請求項１０に記載の方法。
【請求項１２】
洗浄組成物中の窒素含有洗浄剤添加剤の濃度が、洗浄組成物の全重量に対して、約１から約１０重量％の範囲であり得る、請求項１０に記載の方法。
【請求項１３】
エンジン燃料送達システムが、直接噴射式圧縮点火エンジンに存在する、請求項１から１２までのいずれか一項に記載の方法。
【請求項１４】
エンジン燃料送達システムが、間接噴射式圧縮点火エンジンに存在する、請求項１から１２までのいずれか一項に記載の方法。
【請求項１５】
エンジン燃料送達システムの１つ又は複数の部品が、燃料噴射器である、請求項１から１４までのいずれか一項に記載の方法。
【発明の詳細な説明】
【技術分野】
【０００１】
優先権
本出願は、２０１０年１１月１９日に出願された米国仮特許出願第６１／４５８，１９９号に対して米国特許法第１１９条の下で利益を主張し、その内容は参照により本明細書に組み込まれている。
【０００２】
１．技術分野
本発明は概して、燃料噴射器などのエンジン燃料送達システムから堆積物を洗浄する方法に関する。
【背景技術】
【０００３】
２．関連技術の説明
自動車エンジンは、炭化水素燃料の酸化及び重合のため、例えば、キャブレータポート、スロットルボディ、燃料噴射器、吸気ポート、吸気弁、及び燃焼室などのエンジンコンポーネントの表面に堆積物を形成しがちであることがよく知られている。これらの堆積物は、比較的少量で存在する場合でさえも、しばしば失速及び加速不良などの著しい操縦性の問題を引き起こす。さらに、エンジン堆積物は、自動車の燃料の消費及び排ガス汚染物質の生成をかなり増加させ得る。したがって、このような堆積物を防止又は抑制するのに有効な燃料洗浄剤又は「堆積抑制」添加剤の開発は、非常に重要であり、多数のこのような材料が当技術分野で公知である。しかし、多量の堆積物及び／又は頑強な堆積状況にさらされた噴射器及び他のコンポーネントは、燃料洗浄剤を用いた後でさえ、最適性能を維持するために時々のさらなる洗浄を必要とする。
【０００４】
ディーゼル燃料で動作するエンジンは、大部分のガソリンエンジンに関してそうであるように、エンジンの吸気システムへの燃料の吸引よりもむしろ、エンジンの燃焼室へのディーゼル燃料の噴射に依存する。ディーゼル燃料噴射器は、燃料を高圧下で小さい噴射器孔又はオリフィスに強制的に通すことによって、ディーゼル燃料を非常に小さい液滴に噴霧化する。近年は、ピントル、アーマチュア、プランジャー及びニードル、噴射器カップ、並びに噴射室などの同様により小さいサイズの他の噴射器部品によって供給される燃料を、より小さいオリフィスに通してより高圧で噴霧化することによって、液滴サイズを減少させてきた。さらに、多くの噴射器は、以前にそうであったよりも高い温度で動作している。これは、圧力の増加のためのみではなく、ターボ過給の使用増加、高圧コモンレール燃料システム（ＨＰＣＲ）、燃料噴射戦略、排ガス、及びＮＶＨ（騒音、振動、及びハーシュネス）を制御する他の努力とともに、噴射器コンポーネントの設計における変化のためでもある。
【０００５】
さらに、近年はディーゼル燃料それ自体にも変化があった。ディーゼル燃料の硫黄含有量の劇的な減少は、燃料をより酸化的に不安定にさせてきており、一部の場合には、より多量の燃料潤滑添加剤を必要とする。バイオディーゼルの使用を義務付けている州もあり、これは問題をさらに複雑にしている。
【０００６】
これらの増加した圧力及び温度、並びに燃料における変化は、燃料噴射器及び他の燃料システムコンポーネント中で形成する堆積物に対して量の増加及び敏感さの増加をもたらした。これらの堆積物は、内部燃料システム機能の適切な機能を動けなく又は使えなくし、したがって、エンジン燃料システムの適切な動作に影響を与える。影響されるコンポーネントの例には、それらに限定されないが、ピントル、アーマチュア、ブランジャー及びニードル、噴射器カップ、噴射室増圧器ピストン、タイミング及び燃料制御回路又は弁が含まれる。噴射器又は燃料システムコンポーネントがある時間実地で使用されるまで、問題はしばしば明らかにならないことが見出されている。従来技術で教示された方法を使用して、固着する、動かない又は詰まった噴射器を洗浄する試みは、今日まで完全に成功してきたわけではない。この問題を直すこのような試みは、例えば、ＳＡＥ論文−２００８−０１−０９２６、２０１０−０１−２２４２、２０１０−０１−２２４３、及び２０１０−０１−２２５０に文書化されている。
【０００７】
堆積物の性質が変化したことも考えられる。ＳＡＥ  ２００８−０１−０９２６、「内部ディーゼル燃料噴射器堆積物の形成及び防止への調査（Ｉｎｖｅｓｔｉｇａｔｉｏｎ  ｉｎｔｏ  ｔｈｅ  Ｆｏｒｍａｔｉｏｎ  ａｎｄ  Ｐｒｅｖｅｎｔｉｏｎ  ｏｆ  Ｉｎｔｅｒｎａｌ  ｄｉｅｓｅｌ  Ｆｕｅｌ  Ｉｎｊｅｃｔｏｒ  Ｄｅｐｏｓｉｔｓ）」、及びＦｕｅｌｓ  Ｔｅｃｈｎｉｓｃｈｅ  Ａｋａｄｅｍｉｅ  Ｅｓｓｌｉｎｇｅｎ  Ｃｏｌｌｏｑｕｉｕｍ  ２００９、「内部ディーゼル噴射器堆積物の形成に対する燃料不純物及び添加剤の相互作用の影響（Ｅｆｆｅｃｔ  ｏｆ  Ｆｕｅｌ  Ｉｍｐｕｒｉｔｉｅｓ  ａｎｄ  Ａｄｄｉｔｉｖｅ  Ｉｎｔｅｒａｃｔｉｏｎ  ｏｎ  ｔｈｅ  Ｆｏｒｍａｔｉｏｎ  ｏｆ  Ｉｎｔｅｒｎａｌ  Ｄｉｅｓｅｌ  Ｉｎｊｅｃｔｏｒ  Ｄｅｐｏｓｉｔｓ）」には、昨今のディーゼル燃料噴射器システム中の堆積物が、２つの異なるタイプのもの、すなわち、燃料中に含有される添加剤、特にポリマー性スクシンイミドに由来する「ポリマー性」堆積物；及びナトリウム化合物であることが開示されている。
【０００８】
米国特許第６，６１６，７７６号（「‘７７６特許」）には、暖機されたアイドリングしている往復内燃エンジンの吸気マニホールドに洗浄組成物を導入すること、及び洗浄組成物が導入される間エンジンを運転することによって、往復内燃エンジン中のエンジン堆積物を除去する方法が開示されている。‘７７６特許には、該方法で使用するための洗浄溶液が、（ａ）フェノキシモノ又はポリ（オキシアルキレン）アルコールと；（ｂ）（１）アルコキシモノ又はポリ（オキシアルキレン）アルコール及び（２）脂肪族又は芳香族有機溶媒から選択される少なくとも１種の溶媒と；（ｃ）少なくとも１種の窒素含有洗浄剤添加剤との混合物を含有する第１の溶液；並びに（ｄ）フェノキシモノ又はポリ（オキシアルキレン）アルコールと；（ｅ）環状カーボネートと；（ｅ）水との混合物を含有する第２の溶液を含有することがさらに開示されている。
【０００９】
米国特許第６，６５２，６６７号（「‘６６７特許」）には、暖機されたアイドリングしているガソリン内燃エンジンの吸気マニホールドに洗浄組成物を導入すること、及び洗浄組成物が導入される間エンジンを運転することによって、ガソリン内燃エンジン中のエンジン堆積物を除去する方法が開示されている。‘６６７特許には、該方法で使用するための洗浄溶液が、（ａ）フェノキシモノ又はポリ（オキシアルキレン）アルコールと；（ｂ）（１）アルコキシモノ又はポリ（オキシアルキレン）アルコール及び（２）脂肪族又は芳香族有機溶媒から選択される少なくとも１種の溶媒と；（ｃ）少なくとも１種の窒素含有洗浄剤添加剤とを含有することがさらに開示されている。
【００１０】
米国特許出願公開第２００５０２６８５４０号（「‘５４０出願」）には、難分解性エンジン堆積物の抑制及び／又は除去のための燃料組成物が開示されている。‘５４０出願に開示された燃料組成物は、主たる量の（ガソリン範囲の燃料中で沸騰する）炭化水素、ヒドロカルビル置換ポリオキシアルキレンアミン及びグリコールエーテル成分を含有する。
【００１１】
米国特許出願公開第２０１００１３９６９７号（「‘６９７出願」）には、堆積物をエンジンによって動力化された少なくとも１つの圧縮機から除去する方法が開示されている。‘６９７出願には、方法は、（ａ）エンジンを止めている間、前記圧縮機の高圧下流側を、圧縮機を駆動するためにエンジンで使用される手段に圧縮機を取り付けたままにしながら、中間冷却器、又は非中間冷却エンジン用の吸気マニホールドから取り外す段階、（ｂ）圧縮機からの出力気流をエンジンから離してディスポーザル、又は洗浄流体を空気から分離する手段に迂回させる段階、（ｃ）エンジンを起動させる段階、（ｄ）圧縮機の低圧側上流において空気流に前記洗浄流体を噴射する手段を導入する段階；及び（ｅ）エンジンを運転している間、洗浄流体を段階（ｄ）における手段によって圧縮機を洗浄するのに十分な時間噴射する段階を含むことがさらに開示されている。‘６９７出願に開示された洗浄溶液は、主たる量の芳香族炭化水素溶媒及び少なくとも１種の窒素含有洗浄剤添加剤を含有する。
【発明の概要】
【発明が解決しようとする課題】
【００１２】
したがって、燃料噴射器などのエンジン燃料送達システムから堆積物を洗浄する方法を開発することが望ましい。
【課題を解決するための手段】
【００１３】
本発明の一実施形態によれば、エンジン燃料送達システムの１つ又は複数の部品から堆積物を洗浄する方法であって、該エンジン燃料送達システムに（ａ）１種又は複数の芳香族炭化水素溶媒；及び（ｂ）１種又は複数のプロピレングリコールエーテルを含む洗浄組成物を導入する段階を含む方法が提供される。
【００１４】
本発明の第２の実施形態によれば、エンジン燃料送達システムの１つ又は複数の部品から堆積物を洗浄する方法であって、該エンジン燃料送達システムに（ａ）１種又は複数の芳香族炭化水素溶媒；及び（ｂ）式Ｉ：
【化１】
2014504307.tif 000003
（式中、Ｒは、水素又は置換若しくは非置換のＣ１からＣ３０ヒドロカルビル基であり、Ｒ１は、置換又は非置換のＣ１からＣ３０ヒドロカルビル基であり、ｎは、１から４の整数である）
で表される１種又は複数のプロピレングリコールエーテルを含む洗浄組成物を導入する段階を含む方法が提供される。
【００１５】
本発明の第３の実施形態によれば、エンジン燃料送達システムの１つ又は複数の部品から堆積物を洗浄する際の（ａ）１種又は複数の芳香族炭化水素溶媒；及び（ｂ）１種又は複数のプロピレングリコールエーテルを含む洗浄組成物の使用が提供される。
【００１６】
本発明は、他の要因の中でもとりわけ、本明細書で記載されている洗浄組成物を用いることによって例えば、直接噴射式内燃エンジンに存在する、比較的高圧、例えば、１平方インチ当たり約３０，０００ポンドで動作する燃料噴射器などのエンジン燃料送達システムの１つ又は複数の部品から堆積物が有効に除去され得るという発見に基づく。さらに、本発明の方法は、ディーゼル噴射器システムをより迅速に洗浄し、さらに比較的長期間より清浄なままである洗浄された噴射器をもたらすと考えられる。
【図面の簡単な説明】
【００１７】
【図１】燃料噴射器の断面図である。
【発明を実施するための形態】
【００１８】
本発明は、エンジン燃料送達システムの１つ又は複数の部品から堆積物を洗浄する方法であって、該エンジン燃料送達システムに（ａ）１種又は複数の芳香族炭化水素溶媒；及び（ｂ）１種又は複数のプロピレングリコールエーテルを含む洗浄組成物を導入する段階を含む方法を対象とする。
【００１９】
芳香族炭化水素溶媒
【００２０】
本明細書で使用される場合、「芳香族炭化水素溶媒」という用語は、任意の芳香環含有溶媒又はその混合物を意味すると理解されるものとする。堆積物の溶解性、エンジン部品及びエンジン燃料との適合性、安全性、並びにコストの理由で、芳香族炭化水素溶媒は、本発明にとって有用な溶媒である。好適な芳香族炭化水素溶媒には、それらに限定されないが、ベンゼン、エチルベンゼン、トルエン、アニソール、メシチレン、キシレン、ｏ−キシレン、ｍ−キシレン、及びｐ−キシレンなど並びにそれらの混合物が含まれる。一実施形態において、芳香族炭化水素溶媒は、メシチレンである。一実施形態において、芳香族石油蒸留物もまた使用されてもよい。好適な芳香族石油蒸留物には、ＥｘｘｏｎＭｏｂｉｌから入手できるＡＲＯＭＡＴＩＣ  １００、ＡＲＯＭＡＴＩＣ  １５０及びＡＲＯＭＡＴＩＣ  ２００、並びにＰｅｔｒｏｃｈｅｍ  Ｃａｒｌｅｓｓから入手できるＡｒｏｍａｔｉｃ  １５０タイプのＣａｒｏｍａｘ  ２０ＮＤが含まれる。
【００２１】
一般に、洗浄組成物中の芳香族炭化水素溶媒の濃度は、通常は洗浄組成物の全重量に対して、約１０から約４０重量％の範囲である。別の実施形態において、洗浄組成物中の芳香族炭化水素溶媒の濃度は、洗浄組成物の全重量に対して、約１５から約３０重量％の範囲である。別の実施形態において、洗浄組成物中の芳香族炭化水素溶媒の濃度は、洗浄組成物の全重量に対して、約１８重量％から約２５重量％の範囲である。
【００２２】
プロピレングリコールエーテル
【００２３】
本発明の方法で使用するための洗浄組成物は、１種又は複数のプロピレングリコールエーテルも含有する。洗浄組成物中で使用するためのプロピレングリコールエーテルの１つのクラスは、式Ｉ：
【化２】
2014504307.tif 000004
（式中、Ｒは、水素又は置換若しくは非置換のＣ１からＣ３０ヒドロカルビル基であり、Ｒ１は、置換又は非置換のＣ１からＣ３０ヒドロカルビル基であり、ｎは、１から３の整数である）で表される。一実施形態において、Ｒは、水素であり、Ｒ１は、置換又は非置換のＣ１からＣ６ヒドロカルビル基である。別の実施形態において、Ｒ及びＲ１は、同じであり又は異なり、置換又は非置換のＣ１からＣ６ヒドロカルビル基であり得る。一実施形態において、ｎは２である。
【００２４】
好適な置換又は非置換のＣ１からＣ３０ヒドロカルビル基の代表例には、それらに限定されないが、置換又は非置換のＣ１から約Ｃ３０アルキル基、置換又は非置換のＣ１から約Ｃ３０アルケニル基、置換又は非置換のＣ３から約Ｃ３０シクロアルキル基、置換又は非置換のＣ３から約Ｃ３０シクロアルケニル基、置換又は非置換のＣ５から約Ｃ３０シクロアルキルアルキル基、置換又は非置換のＣ５から約Ｃ３０アリール、置換又は非置換のＣ５から約Ｃ３０アリールアルキル基などが含まれる。
【００２５】
本明細書で使用するための置換又は非置換アルキル基の代表例には、一例として、１から約３０個の炭素原子、好ましくは１から約６個の炭素原子の炭素及び水素原子を含有する直鎖又は分岐アルキル鎖基、例えば、メチル、エチル、ｎ−プロピル、イソプロピル、ｎ−ブチル、ｎ−ペンチルなどが含まれる。
【００２６】
本明細書で使用するための置換又は非置換アルケニル基の代表例には、一例として、少なくとも１つの炭素−炭素二重結合とともに、１から約３０個の炭素原子、好ましくは２から約６個の炭素原子の、炭素及び水素原子を含有する直鎖又は分岐アルキル鎖基、例えば、メチレン、エチレン、ｎ−プロピレンなどが含まれる。
【００２７】
本明細書で使用するための置換又は非置換シクロアルキル基の代表例には、一例として、３から約３０個の炭素原子、好ましくは３から１２個の炭素原子の、置換又は非置換の非芳香族単環式又は多環式環系、例えば、１個又は複数のヘテロ原子、例えば、Ｏ及びＮなどを場合によって含有する、シクロプロピル、シクロブチル、シクロペンチル、シクロヘキシル、架橋環式基又はスピロ二環式基、例えば、スピロ−（４，４）−ノナ−２−イルが含まれる。
【００２８】
本明細書で使用するための置換又は非置換シクロアルキルアルキル基の代表例には、一例として、アルキル基に直接結合しており、次いで、このアルキル基は主構造の酸素原子に結合している、約５から約３０個の炭素原子、好ましくは３から１２個の炭素原子を含有する置換又は非置換の環式環含有基、例えば、シクロプロピルメチル、シクロブチルエチル、シクロペンチルエチルなどが含まれ、ここで、該環式環は、１個又は複数のヘテロ原子、例えば、Ｏ及びＮなどを場合によって含有し得る。
【００２９】
本明細書で使用するための置換又は非置換シクロアルケニル基の代表例には、一例として、少なくとも１つの炭素−炭素二重結合とともに、約３から約３０個の炭素原子、好ましくは３から１２個の炭素原子を含有する置換又は非置換の環式環含有基、例えば、シクロプロペニル、シクロブテニル、シクロペンテニルなどが含まれ、ここで、該環式環は、１個又は複数のヘテロ原子、例えば、Ｏ及びＮなどを場合によって含有し得る。
【００３０】
本明細書で使用するための置換又は非置換アリール基の代表例には、一例として、約５から約３０個の炭素原子、好ましくは６から１２個の炭素原子を含有する置換又は非置換のモノ芳香族又はポリ芳香族基、例えば、１個又は複数のヘテロ原子、例えば、Ｏ及びＮなどを場合によって含有するフェニル、ナフチル、テトラヒドロナフチル、インデニル、ビフェニルなどが含まれる。
【００３１】
本明細書で使用するための置換又は非置換アリールアルキル基の代表例には、一例として、本明細書で定義されたとおりのアルキル基に直接結合した本明細書で定義されたとおりの置換又は非置換アリール基、例えば、−ＣＨ２Ｃ６Ｈ５、−Ｃ２Ｈ５Ｃ６Ｈ５などが含まれ、ここで、該アリール基は、１個又は複数のヘテロ原子、例えば、Ｏ及びＮなどを場合によって含有し得る。
【００３２】
「置換アルキル」、「置換シクロアルキル」、「置換シクロアルキルアルキル」、「置換シクロアルケニル」、「置換アリール」、及び「置換アリールアルキル」における置換基は、同じであってもよく又は異なってもよく、水素、ヒドロキシ、ハロゲン、カルボキシル、シアノ、ニトロ、オキソ（＝Ｏ）、チオ（＝Ｓ）、置換又は非置換アルキル、置換又は非置換アルコキシ、置換又は非置換アルケニル、置換又は非置換アルキニル、置換又は非置換アリール、置換又は非置換アリールアルキル、置換又は非置換シクロアルキル、置換又は非置換シクロアルケニル、置換又は非置換アミノ、置換又は非置換アリール、置換又は非置換ヘテロアリール、置換ヘテロシクロアルキル環、置換又は非置換ヘテロアリールアルキル、置換又は非置換ヘテロ環式環、置換又は非置換グアニジン、−ＣＯＯＲｘ、−Ｃ（Ｏ）Ｒｘ、−Ｃ（Ｓ）Ｒｘ、−Ｃ（Ｏ）ＮＲｘＲｙ、−Ｃ（Ｏ）ＯＮＲｘＲｙ、−ＮＲｘＣＯＮＲｙＲｚ、−Ｎ（Ｒｘ）ＳＯＲｙ、−Ｎ（Ｒｘ）ＳＯ２Ｒｙ、−（＝Ｎ−Ｎ（Ｒｘ）Ｒｙ）、−ＮＲｘＣ（Ｏ）ＯＲｙ、−ＮＲｘＲｙ、−ＮＲｘＣ（Ｏ）Ｒｙ、−ＮＲｘＣ（Ｓ）Ｒｙ、−ＮＲｘＣ（Ｓ）ＮＲｙＲｚ、−ＳＯＮＲｘＲｙ−、−ＳＯ２ＮＲｘＲｙ−、−ＯＲｘ、−ＯＲｘＣ（Ｏ）ＮＲｙＲｚ、−ＯＲｘＣ（Ｏ）ＯＲｙ−、−ＯＣ（Ｏ）Ｒｘ、−ＯＣ（Ｏ）ＮＲｘＲｙ、−ＲｘＮＲｙＣ（Ｏ）Ｒｚ、−ＲｘＯＲｙ、−ＲｘＣ（Ｏ）ＯＲｙ、−ＲｘＣ（Ｏ）ＮＲｙＲｚ、−ＲｘＣ（Ｏ）Ｒｘ、−ＲｘＯＣ（Ｏ）Ｒｙ、−ＳＲｘ、−ＳＯＲｘ、−ＳＯ２Ｒｘ、−ＯＮＯ２などの１個又は複数の置換基を含み、ここで、Ｒｘ、Ｒｙ及びＲｚは、上記基のそれぞれにおいて、同じであることができ又は異なることができ、水素原子、置換若しくは非置換アルキル、置換若しくは非置換アルコキシ、置換若しくは非置換アルケニル、置換若しくは非置換アルキニル、置換若しくは非置換アリール、置換若しくは非置換アリールアルキル、置換若しくは非置換シクロアルキル、置換若しくは非置換シクロアルケニル、置換若しくは非置換アミノ、置換若しくは非置換アリール、置換若しくは非置換ヘテロアリール、「置換ヘテロシクロアルキル環」置換若しくは非置換ヘテロアリールアルキル、又は置換若しくは非置換ヘテロ環式環であることができる。
【００３３】
本明細書で使用するための好適なプロピレングリコールエーテルの代表例には、プロピレングリコールエーテル（例えば、プロピレングリコールモノメチルエーテル、プロピレングリコールモノエチルエーテル、プロピレングリコールモノプロピルエーテル、プロピレングリコールモノブチルエーテル）、及びジプロピレングリコールエーテル（例えば、ジプロピレングリコールモノメチルエーテル、ジプロピレングリコールモノエチルエーテル、ジプロピレングリコールモノブチルエーテル）など、並びにそれらの混合物が含まれる。
【００３４】
洗浄組成物中の１種又は複数のプロピレングリコールエーテルの濃度は、洗浄組成物の全重量に対して、通常は約２０から約５０重量％の範囲である。別の実施形態において、洗浄組成物中のプロピレングリコールエーテルの濃度は、洗浄組成物の全重量に対して、約２５から約４０重量％の範囲である。別の実施形態において、洗浄組成物中のプロピレングリコールエーテルの濃度は、洗浄組成物の全重量に対して、約２８重量％から約３３重量％の範囲である。
【００３５】
一実施形態において、本明細書で使用するための洗浄組成物は、約４０℃から約８０℃の引火点を有し得る。一実施形態において、本明細書で使用するための洗浄組成物は、少なくとも約６１℃の引火点を有し得る。
【００３６】
本発明の方法で使用するための洗浄組成物は、１種又は複数のさらなる溶媒も、このような溶媒の濃度が、洗浄溶液の全体の芳香族の性質を変えないように十分低い限り、含有してもよい。さらなる溶媒の代表例には、脂肪族炭化水素溶媒など及びそれらの混合物が含まれる。好適な脂肪族炭化水素溶媒には、脱芳香族化溶媒、例えば、ＥｘｘｏｎＭｏｂｉｌから入手できるＥｘｘｓｏｌ  Ｄ４０及びＤ６０、他の脂肪族炭化水素溶媒、例えば、やはりＥｘｘｏｎＭｏｂｉｌから入手できるＤ１５〜２０  Ｎａｐｈｔｈａ、Ｄ１１５〜１４５  Ｎａｐｈｔｈａ及びＤ３１〜３５  Ｎａｐｈｔｈａ、並びに非芳香族ミネラル、スピリットなど、並びにそれらの混合物が含まれる。
【００３７】
洗浄組成物中のさらなる溶媒の濃度は、洗浄組成物の全重量に対して、約１０から約７０重量％の範囲であり得る。別の実施形態において、洗浄組成物中のさらなる溶媒の濃度は、洗浄組成物の全重量に対して、約３５から約６０重量％の範囲であり得る。
【００３８】
本発明の方法で使用するための洗浄組成物は、１種又は複数の窒素含有洗浄剤を含有してもよい。本発明で使用するための好適な窒素含有洗浄剤添加剤には、例えば、脂肪族ヒドロカルビル置換アミン、ヒドロカルビル置換ポリ（オキシアルキレン）アミン、ヒドロカルビル置換スクシンイミド、マンニッヒ反応生成物、ポリアルキルフェノキシアルカノールのニトロ及びアミノ芳香族エステル、ポリアルキルフェノキシアミノアルカン、並びにそれらの混合物が含まれる。
【００３９】
洗浄組成物中で用いられもよい脂肪族ヒドロカルビル置換アミンは、典型的には少なくとも１個の塩基性窒素原子を有する直鎖又は分岐鎖のヒドロカルビル置換アミンであり、ここで、ヒドロカルビル基は、約７００から３，０００の数平均分子量を有する。好ましい一実施形態において、脂肪族ヒドロカルビル置換アミンには、ポリイソブテニル及びポリイソブチルの、モノアミン及びポリアミンが含まれる。
【００４０】
脂肪族ヒドロカルビル置換アミンは、当技術分野で公知の従来の手順によって調製される。このような脂肪族ヒドロカルビル置換アミン及びそれらの調製は、例えば、米国特許第３，４３８，７５７号；同第３，５６５，８０４号；同第３，５７４，５７６号；同第３，８４８，０５６号；同第３，９６０，５１５号；同第４，８３２，７０２号；及び同第６，２０３，５８４号に詳細に記載されており、それらの開示は、参照により本明細書に組み込まれている。
【００４１】
洗浄組成物中での使用に好適な窒素含有洗浄剤添加剤の別のクラスは、ポリエーテルアミンとも称される、ヒドロカルビル置換ポリ（オキシアルキレン）アミンである。典型的なヒドロカルビル置換ポリ（オキシアルキレン）アミンには、ヒドロカルビルポリ（オキシアルキレン）モノアミン及びポリアミンが含まれ、ここで、ヒドロカルビル基は、１から約３０個の炭素原子を含有し、オキシアルキレン単位の数は、約５から１００の範囲であることができ、アミン部分は、アンモニア、第一級アルキル若しくは第二級ジアルキルモノアミン、又は末端アミノ窒素原子を有するポリアミンに由来する。一実施形態において、オキシアルキレン部分は、オキシプロピレン若しくはオキシブチレン、又はそれらの混合物である。このようなヒドロカルビル置換ポリ（オキシアルキレン）アミンは、例えば、米国特許第５，１１２，３６４号及び同第６，２１７，６２４号に記載されており、それらの開示は、参照により本明細書に組み込まれている。
【００４２】
好ましい一実施形態において、ヒドロカルビル置換ポリ（オキシアルキレン）モノアミンは、ポリ（オキシアルキレン）部分が、オキシプロピレン単位若しくはオキシブチレン単位又はオキシプロピレン単位とオキシブチレン単位との混合物を含有する、アルキルフェニルポリ（オキシアルキレン）モノアミンである。アルキルフェニル部分上のアルキル基は、１から２４個の炭素原子の直鎖又は分岐鎖アルキルである。好ましい一実施形態において、アルキルフェニル部分は、テトラプロペニルフェニルであり、すなわち、該アルキル基が、プロピレンテトラマーに由来する、１２個の炭素原子の分岐鎖アルキルである場合である。
【００４３】
ヒドロカルビル置換ポリ（オキシアルキレン）アミン組成物の別の例は、ヒドロカルビル置換ポリ（オキシアルキレン）アミノカルバメートである。このようなアミノカルバメートの例には、例えば、米国特許第４，２８８，６１２号；同第４，１６０，６４８号；同第４，１９１，５３７号；同第４，１９７，４０９号；同第４，２３３，１６８号；同第４，２３６，０２０号；同第４，２４３，７９８号；同第４，２７０，９３０号；及び同第４，８８１，９４５号に開示されたものが含まれ、それらのそれぞれの内容は、参照により本明細書に組み込まれている。ヒドロカルビルポリ（オキシアルキレン）アミノカルバメートは、少なくとも１個の塩基性窒素原子を含有し、約５００から約１０，０００の平均分子量を有する。別の実施形態において、ヒドロカルビルポリ（オキシアルキレン）アミノカルバメートは、少なくとも１個の塩基性窒素原子を含有し、約５００から約５，０００の平均分子量を有する。別の実施形態において、ヒドロカルビルポリ（オキシアルキレン）アミノカルバメートは、少なくとも１個の塩基性窒素原子を含有し、約１，０００から約３，０００の平均分子量を有する。好ましい一実施形態において、アミノカルバメートは、アミン部分が、エチレンジアミン又はジエチレントリアミンに由来する、アルキルフェニルポリ（オキシブチレン）アミノカルバメートである。
【００４４】
洗浄組成物中での使用に好適な窒素含有洗浄剤添加剤の別のクラスは、ヒドロカルビル置換スクシンイミドである。ヒドロカルビル置換スクシンイミドには、ポリアルキル又はポリアルケニル基が、約５００から約５，０００の平均分子量を有する、ポリアルキル及びポリアルケニルのスクシンイミドが含まれる。別の実施形態において、ヒドロカルビル置換スクシンイミドには、ポリアルキル及びポリアルケニル基が、約７００から約３，０００の平均分子量を有する、ポリアルキル及びポリアルケニルのスクシンイミドが含まれる。ヒドロカルビル置換スクシンイミドは、典型的にはヒドロカルビル置換無水コハク酸を、アミン窒素原子に結合した少なくとも１個の反応性水素を有するアミン又はポリアミンと反応させることによって調製される。好ましい一実施形態において、ヒドロカルビル置換スクシンイミドには、ポリイソブテニル及びポリイソブタニルのスクシンイミド、並びにそれらの誘導体が含まれる。
【００４５】
本明細書で使用するためのヒドロカルビル置換スクシンイミドは、例えば、米国特許第５，３９３，３０９号；同第５，５８８，９７３号；同第５，６２０，４８６号；同第５，９１６，８２５号；同第５，９５４，８４３号；同第５，９９３，４９７号；及び同第６，１１４，５４２号、並びに英国特許第１，４８６，１４４号に記載されており、それらのそれぞれの内容は、参照により本明細書に組み込まれている。
【００４６】
洗浄組成物中での使用に好適な窒素含有洗浄剤添加剤の別のクラスは、典型的には高分子量アルキル置換ヒドロキシ芳香族化合物と、少なくとも１個の反応性水素を含有するアミンと、アルデヒドとのマンニッヒ縮合から得られるマンニッヒ反応生成物である。高分子量アルキル置換ヒドロキシ芳香族化合物は、通常は、ポリアルキル基が、約６００から約３，０００の平均分子量を有する、ポリアルキルフェノール、例えば、ポリプロピルフェノール及びポリブチレフェノール、特に、ポリイソブチルフェノールである。アミン反応物質は、典型的にはポリアミン、例えば、アルキレンポリアミン、特にエチレン又はポリエチレンポリアミン、例えば、エチレンジアミン、ジエチレントリアミン、トリエチレンテトラミンなどである。アルデヒド反応物質は、一般に脂肪族アルデヒド、例えば、ホルムアルデヒド（パラホルムアルデヒド及びホルマリンを含む）、及びアセトアルデヒドである。好ましい一実施形態において、マンニッヒ反応生成物は、ポリイソブチルフェノールをホルムアルデヒド及びジエチレントリアミンと縮合させることによって得られ、ここで、ポリイソブチル基は、約１，０００の平均分子量を有する。
【００４７】
本明細書で使用するためのマンニッヒ反応生成物は、例えば、米国特許第４，２３１，７５９号及び同第５，６９７，９８８号に記載されており、それらのそれぞれの内容は、参照により本明細書に組み込まれている。
【００４８】
洗浄組成物中での使用に好適な窒素含有洗浄剤添加剤の別のクラスは、ポリアルキルフェノキシアミノアルカンである。ポリアルキルフェノキシアミノアルカンの代表例には、式ＩＩ：
【化３】
2014504307.tif 000005
（式中、Ｒ３は、約６００から約５，０００の範囲の平均分子量を有するポリアルキル基であり；Ｒ４及びＲ５は、独立して、水素又は１から６個の炭素原子を有する低級アルキルであり；Ａは、アミノ、アルキル基中に約１から約２０個の炭素原子を有するＮ−アルキルアミノ、それぞれのアルキル基中に約１から約２０個の炭素原子を有するＮ，Ｎ−ジアルキルアミノ、又は約２から約１２個のアミン窒素原子及び約２から約４０個の炭素原子を有するポリアミン部分である）
を有するものが含まれる。
【００４９】
式ＩＩのポリアルキルフェノキシアミノアルカン及びそれらの調製は、例えば、米国特許第５，６６９，９３９号に詳細に記載されており、その内容は、参照により本明細書に組み込まれている。
【００５０】
ポリアルキルフェノキシアミノアルカンとポリ（オキシアルキレン）アミンとの混合物も、洗浄組成物中での使用に好適である。これらの混合物は、例えば、米国特許第５，８５１，２４２号に詳細に記載されており、その内容は、参照により本明細書に組み込まれている。
【００５１】
窒素含有洗浄剤添加剤の別のクラスには、ポリアルキルフェノキシアルカノールのニトロ及びアミノ芳香族エステルが含まれる。ポリアルキルフェノキシアルカノールのニトロ及びアミノ芳香族エステルの代表例には、式（ＩＩＩ）
【化４】
2014504307.tif 000006
［式中：Ｒ６は、ニトロ又は−（ＣＨ２）ｎ−ＮＲ１１Ｒ１２（ここで、Ｒ１１及びＲ１２は、独立して、水素又は１から６個の炭素原子を有する低級アルキルであり、ｎは、０又は１である）であり；Ｒ７は、水素、ヒドロキシ、ニトロ又は−ＮＲ１３Ｒ１４（ここで、Ｒ１３及びＲ１４は、独立して、水素又は１から６個の炭素原子を有する低級アルキルである）であり；Ｒ８及びＲ９は、独立して、水素又は１から６個の炭素原子を有する低級アルキルであり；Ｒ１０は、約４５０から約５，０００の範囲の平均分子量を有するポリアルキル基である］
のものが含まれる。
【００５２】
上記式ＩＩＩで示されたポリアルキルフェノキシアルカノールの芳香族エステル及びそれらの調製は、例えば、米国特許第５，６１８，３２０号に記載されており、その内容は、参照により本明細書に組み込まれている。
【００５３】
ポリアルキルフェノキシアルカノールのニトロ及びアミノ芳香族エステルと、ヒドロカルビル置換ポリ（オキシアルキレン）アミンとの混合物も、好ましくは企図される。これらの混合物は、例えば、米国特許第５，７４９，９２９号に記載されており、その内容は、参照により本明細書に組み込まれている。
【００５４】
窒素含有洗浄剤添加剤として用いられてもよいヒドロカルビル置換ポリ（オキシアルキレン）アミンの１つのクラスには、式ＩＶ：
【化５】
2014504307.tif 000007
（式中、Ｒ１５は、約１から約３０個の炭素原子を有するヒドロカルビル基であり；Ｒ１６及びＲ１７は、それぞれ独立して、水素又は約１から約６個の炭素原子を有する低級アルキルであり、それぞれのＲ１６及びＲ１７は、それぞれ−Ｏ−ＣＨＲ１６−ＣＨＲ１７−単位において独立して選択され；Ａは、アミノ、アルキル基中に約１から約２０個の炭素原子を有するＮ−アルキルアミノ、それぞれのアルキル基中に約１から約２０個の炭素原子を有するＮ，Ｎ−ジアルキルアミノ、又は約２から約１２個のアミン窒素原子及び約２から約４０個の炭素原子を有するポリアミン部分であり；ｍは、約５から約１００の整数である）
を有するものが含まれる。
【００５５】
上記式ＩＶのヒドロカルビル置換ポリ（オキシアルキレン）アミン及びそれらの調製は、例えば、米国特許第６，２１７，６２４号に記載されており、その内容は、参照により本明細書に組み込まれている。
【００５６】
窒素含有洗浄剤添加剤の別のクラスには、窒素含有のキャブレータ／噴射器用洗浄剤が含まれる。キャブレータ／噴射器用洗浄剤添加剤は、典型的には約１００から約６００の数平均分子量を有し、少なくとも１個の極性部分及び少なくとも１個の非極性部分を有する比較的低分子量の化合物である。非極性部分は、典型的には約６から約４０個の炭素原子を有する直鎖又は分岐鎖のアルキル又はアルケニル基である。極性部分は、典型的には窒素含有である。典型的な窒素含有極性部分には、アミン（例えば、米国特許第５，１３９，５３４号及びＰＣＴ国際公開第ＷＯ９０／１００５１号に記載されたとおりの）、エーテルアミン（例えば、米国特許第３，８４９，０８３号及びＰＣＴ国際公開第ＷＯ９０／１００５１号に記載されたとおりの）、アミド、ポリアミド及びアミドエステル（例えば、米国特許第２，６２２，０１８号；同第４，７２９，７６９号；及び同第５，１３９，５３４号；並びに欧州特許出願公開第１４９，４８６号に記載されたとおりの）、イミダゾリン（例えば、米国特許第４，５１８，７８２号に記載されたとおりの）、アミンオキシド（例えば、米国特許第４，８１０，２６３号及び同第４，８３６，８２９号に記載されたとおりの）、ヒドロキシアミン（例えば、米国特許第４，４０９，０００号に記載されたとおりの）、並びにスクシンイミド（例えば、米国特許第４，２９２，０４６号に記載されたとおりの）が含まれる。
【００５７】
洗浄組成物中の窒素含有洗浄剤添加剤の濃度は、洗浄組成物の全重量に対して、約１から約１０重量％の範囲であり得る。別の実施形態において、洗浄組成物中の窒素含有洗浄剤添加剤の濃度は、洗浄組成物の全重量に対して、約２から約５重量％の範囲であり得る。
【００５８】
本発明の方法は、エンジン燃料送達システムの１つ又は複数の部品の全体又は燃料送達システム全体にわたって堆積物を洗浄し得る。一実施形態において、エンジンは、ディーゼル、すなわち、圧縮点火エンジンである。一実施形態において、エンジンは、直接噴射式ディーゼルエンジンである。一実施形態において、エンジンは、間接噴射式ディーゼルエンジンである。一実施形態において、エンジン燃料送達システムは、１つ若しくは複数の燃料ポンプ及び/又は１つ若しくは複数の燃料噴射器を含む。本発明の洗浄方法で使用するための燃料噴射器の一例は、図１に全体的に描かれている。図１に示されているように、燃料噴射器は、典型的にはアーマチュア１２０、制御室１３０、コントロールピストン１４０、スプリング１５０及びニードル１６０を含む。
【００５９】
一実施形態において、本明細書で洗浄されるべきエンジン燃料送達システムは、比較的高圧下で動作する。間接噴射式エンジンについて、圧力は、少なくとも１平方インチ当たり約２，０００ポンド（ｐｓｉ）であり得る。一実施形態において、間接噴射式エンジンにおけるエンジン燃料送達システムの圧力は、約３５００ｐｓｉ以下である。一実施形態において、間接噴射式エンジンにおけるエンジン燃料送達システムの圧力は、約２，０００ｐｓｉから約３５００ｐｓｉ以下である。直接噴射式エンジンについて、圧力は、少なくとも約１０，０００ｐｓｉであってもよい。一実施形態において、直接噴射式エンジンにおけるエンジン燃料送達システムの圧力は、約５０，０００ｐｓｉ以下である。一実施形態において、直接噴射式エンジンにおけるエンジン燃料送達システムの圧力は、約１０，０００ｐｓｉから約５０，０００ｐｓｉ以下である。別の実施形態において、直接噴射式エンジンで使用されるエンジン燃料送達システムの圧力は、約２５，０００ｐｓｉから約５０，０００ｐｓｉ以下である。
【００６０】
一実施形態において、本明細書で洗浄されるべきエンジン燃料送達システムは、比較的高温で動作する。間接噴射式エンジンについて、温度は、少なくとも約７０℃であってもよい。一実施形態において、温度は、少なくとも約１００℃であってもよい。一実施形態において、温度は、少なくとも約１２０℃であってもよい。一実施形態において、温度は、少なくとも約７０℃及び約１２０℃以下であってもよい。直接噴射式エンジンについて、温度は、少なくとも約７０℃であってもよい。一実施形態において、温度は、少なくとも約１００℃であってもよい。一実施形態において、温度は、少なくとも約１５０℃であってもよい。一実施形態において、温度は、少なくとも約７０℃及び約１５０℃以下であってもよい。
【００６１】
典型的には、洗浄組成物は、エンジン燃料送達システムに、所望の清浄度のレベルに燃料送達システムを洗浄するのに十分な期間導入される。所望の清浄度のレベルは、例えば、黒煙の減少、エンジン不着火の排除、及び起動の容易さなどのエンジン動作パラメータにおける改善により、当業者によって決定され得る。
【００６２】
一般に、洗浄組成物は、当技術分野で知られている任意の方法及び装置によってエンジン燃料送達システムに導入される。一実施形態において、該方法は、エンジンを運転している間に用いられ、洗浄組成物は、エンジンの通常の動作燃料の完全又は部分的な代替である。したがって、該方法は、充分に暖機されたエンジンにおいて、且つエンジンを製造業者推薦アイドリング速度から１分当たり約３０００回転（ＲＰＭ）までの範囲の速度で運転している間に実施され得る。
【００６３】
エンジン燃料送達システムに洗浄組成物を導入するために様々な利用手段を使用することができる。このような利用手段には、米国特許第５，２８７，８３４号及び同第５，８３３，７６５号に記載された洗浄装置が含まれてもよく、それらの内容は、参照により本明細書に組み込まれている。一実施形態において、利用手段は、洗浄工程の間にエンジン用の燃料の供給源としての車両又はエンジンの燃料タンクに取って代わるために、及び洗浄組成物を入れるために使用する洗浄液貯蔵容器であることができる。この実施形態において、燃料タンクは、取り外し、エンジンモデルに適合する様々なアダプターを使用してエンジン燃料送達システムに洗浄組成物を送達しそれを容器に戻すことができるように構成されている容器に取って代える。
【００６４】
洗浄工程が完了すると直ちに、容器は取り外し、燃料タンクに取って代える。一実施形態において、洗浄組成物を送達する利用手段は、大気圧下又は加圧下のいずれかでの目盛り付きボトル又は容器を含む。ボトル又は容器が圧力下で操作される場合、利用手段は、導入された組成物の圧力を検査する圧力ゲージ及び圧力を制御する圧力制御弁を備える。ボトル又は容器は、特定の燃料システム供給に接続し燃料ライン又は燃料システムコンポーネントを戻す特定のアダプターを有し得る。さらに、ボトル又は容器は、エンジン燃料送達システムに洗浄組成物を導入するラインを開閉する弁も有する。
【００６５】
以下の非限定的な実施例により、本発明が例証される。
【実施例】
【００６６】
本発明の処方の有効性は、一定の試験堆積物に対して行った試験によって実証した。これらの堆積物は、昨今の燃料噴射器システムで見出される高温、高圧条件下で形成される堆積物を代表すると考えられる。堆積物は、「内部ディーゼル噴射器堆積物の形成に対する燃料不純物及び添加剤の相互作用の影響（Ｅｆｆｅｃｔ  ｏｆ  Ｆｕｅｌ  Ｉｍｐｕｒｉｔｉｅｓ  ａｎｄ  Ａｄｄｉｔｉｖｅ  Ｉｎｔｅｒａｃｔｉｏｎ  ｏｎ  ｔｈｅ  Ｆｏｒｍａｔｉｏｎ  ｏｆ  Ｉｎｔｅｒｎａｌ  Ｄｉｅｓｅｌ  Ｉｎｊｅｃｔｏｒ  Ｄｅｐｏｓｉｔｓ）」に記載されたとおりの「ポリマー性」堆積物とナトリウム化合物との混合物である。
【００６７】
ポリマー性堆積物は、２１．３グラムのポリブテンスクシンイミド添加剤濃縮物を６グラムのドデセニルコハク酸と混合すること、及びその後、混合物を１８０℃で２０時間加熱することによって作り出した。
【００６８】
ナトリウム化合物は、ドデシルコハク酸を水酸化ナトリウム溶液とモル当量基準で混合し、次いで、乾燥させることによって作り出した。両方の堆積物を、フーリエ変換赤外分光法（ＦＴＩＲ）分析によって検証した。
【００６９】
試験
【００７０】
これらの異なるタイプの堆積物の浄化における異なる化合物の有効性を試験するために、約０．５グラムのそれぞれの堆積物をビーカーに入れ、２０〜３０ｍｌのそれぞれの以下の化合物と混合し、スパチュラで混合し、最大５分間旋回させた。混合及び旋回後、ビーカー中の混合物を以下の等級スケールに従って評価した：
・０＝有効でない＝堆積物は視認可能なほど変化せず、洗浄溶液は、変色しなかったか又は濁らなかった。
・１＝わずかに可溶性＝洗浄溶液のわずかな濁り及び／又は変色があったが、堆積物の外観における変化はなかった。
・２＝半可溶性＝溶液は濁った状態になり、及び／又は変色し、堆積物はサイズが減少した。
【表１】
2014504307.tif 000008
【表２】
2014504307.tif 000009
【表３】
2014504307.tif 000010
【００７１】
このデータから、芳香族溶媒、特にメシチレンがポリマー性堆積物の溶解に有用である一方、プロピレングリコールベース溶媒は、ナトリウム化合物の溶解に有効であることが明らかである。
【００７２】
本発明の成分を含有する完成洗浄流体の有効性も、前記洗浄流体に対して同じ試験を行うことによって実証した。洗浄流体は、以下のとおりに処方した：
処方１
【００７３】
処方１の洗浄溶液は、３重量％のポリブテンスクシンイミド濃縮物、４１．９重量％のＥｘｘｓｏｌ  Ｄ６０脂肪族溶媒、３１重量％のジ（プロピレングリコール）メチルエーテル、２４重量％のメシチレン、及び０．１０重量％の芳香族エステルを混合することによって調製した。
処方２
【００７４】
処方２の洗浄溶液は、３重量％のポリブテンスクシンイミド濃縮物、４１．９重量％のＥｘｘｓｏｌ  Ｄ６０脂肪族溶媒、３１重量％のジ（プロピレングリコール）メチルエーテル、１４重量％のメシチレン、１０重量％のＡｒｏｍａｔｉｃ  １５０溶媒、及び０．１０重量％の芳香族エステルを混合することによって調製した。
処方３
【００７５】
処方３の洗浄溶液は、３重量％のポリブテンスクシンイミド濃縮物、４１．９重量％のＥｘｘｓｏｌ  Ｄ６０脂肪族溶媒、３１重量％のジ（プロピレングリコール）メチルエーテル、２４重量％のＡｒｏｍａｔｉｃ  １５０溶媒、及び０．１０重量％の芳香族エステルを混合することによって調製した。
比較ディーゼル洗浄溶液１
【００７６】
比較ディーゼル洗浄溶液１の洗浄溶液は、約７１重量％の脂肪族溶媒、４重量％のポリブテンスクシンイミド濃縮物、及び２５重量％のジ（プロピレングリコール）メチルエーテルを混合することによって調製されると考えた。
比較ディーゼル洗浄溶液２
【００７７】
比較ディーゼル洗浄溶液２の洗浄溶液は、２３重量％のポリエーテルアミン、１６重量％のベンジルアルコール、２７重量％のエチレングリコールブチルエーテル、及び３４重量％のフェノキシエタノールを混合することによって調製した。
【００７８】
上に調製した異なるタイプの堆積物の浄化における処方１〜３並びに比較ディーゼル洗浄溶液１及び２の有効性を上記のとおりに試験した。比較ディーゼル洗浄溶液１及び２に溶解したよりも処方１〜３に相当により多くの堆積物が溶解したことを目視検査により決定した。
【００７９】
本明細書で開示された実施形態に、様々な変更がなされ得ることが理解される。したがって、上の記載は、限定するものとしてではなく、単に好ましい実施形態の例示として解釈されるべきである。例えば、本発明を機能発揮させる最良の形態として上で記載され、且つ実行された機能は、単に例証の目的のためである。他の構成及び方法が、本発明の範囲及び精神から逸脱することなく、当業者によって実行され得る。さらに、当業者には、本明細書に添付された特許請求の範囲及び精神の範囲内で他の変更が想定されよう。
【図１】
2014504307.tif 000012
【国際調査報告】
2014504307.tif 000013
2014504307.tif 000014
2014504307.tif 000015
2014504307.tif 000016